(57)【要約】【課題】室内熱交換器に導入する冷媒の流れを暖房除湿運転モード及び冷房除湿運転モードのいずれの場合も同一方向に流すための切換弁を提供し、冷媒の圧力を利用して主弁の着座／離間の動作を円滑に行う。【解決手段】主弁１にの導通路１１，１２に均圧孔１４，１５を形成すとともに、ストッパ部１６を形成する。副弁４を回動して摺動面４１，４２で均圧孔１４，１５の開閉を制御する。高圧の導通路を弁室から密閉して主弁１を弁座から離間し、副弁４を回動してストッパ部１６とともに主弁１を回動する。高圧の導通路を弁室と均圧し、主弁１を弁座に着座させる。【選択図】図７
2005256853.tif 000002
【特許請求の範囲】
【請求項１】
円筒状の弁室を形成する本体ケースと、
該本体ケースの開口端に配設されるとともに前記弁室の中心回りの同周上に所定角度離間して４つのポートが形成された弁座と、
前記弁室内に該弁室の軸方向および軸回りに摺動自在に配設された円柱状の主弁と、
前記本体ケースの円筒の中心軸の位置で前記主弁中心を摺動自在に軸支するとともに軸方向に摺動自在となる回転軸を有する回転駆動手段と、
前記回転軸に連結されるとともに前記主弁の端面に摺動可能に接触される副弁と、
を備え、
前記主弁の前記回転軸の両側で該回転軸を含む基準面に対して対称となるように、前記弁座側に開口した２つの導通路が形成されるとともに、該主弁の前記回転軸回りで前記基準面に対して対称となる位置に、該２つの導通路のそれぞれを前記弁室に導通する２つの均圧孔が形成され、さらに、該主弁の前記弁室側に前記基準面を含んで該基準面に対して対称となるストッパ部が形成され、
前記回転駆動手段により前記副弁を回転し、該副弁によって前記均圧孔の一方を閉とするとともに他方を開として、一方の導通路を前記弁室から遮蔽するとともに他方の導通路を該弁室と均圧可能とし、かつ、該副弁の回動により該副弁が前記ストッパ部に当接して該主弁を回転可能としたことを特徴とする流路切換弁。
【発明の詳細な説明】
【技術分野】
【０００１】
本発明は、暖房除湿運転と冷房除湿運転とを行えるようにした空気調和機で、室内熱交換器に導入する冷媒の流れが暖房除湿運転時及び冷房除湿運転時で同一方向となるように冷媒の流れを切り換えるのに適した流路切換弁に関する。
【背景技術】
【０００２】
従来、周知のように、空気調和機におけるヒートポンプ式の冷凍サイクルは、圧縮機、流路切換弁（四方弁）、室外熱交換器、絞り装置、室内熱交換器、流路切換弁、圧縮機で構成されている。そして、冷媒は、冷房モードでは圧縮機→流路切換弁→室外熱交換器→絞り装置→室内熱交換器→流路切換弁→圧縮機と流れる。また、暖房モードでは圧縮機→流路切換弁→室内熱交換器→絞り装置→室外熱交換器→流路切換弁→圧縮機と流れる。
【０００３】
また、例えば特開平８−１０５６７２号公報に開示されているように、空気調和機において、室内熱交換器を第１熱交換器と第２熱交換器に分割するとともに、この第１熱交換器と第２熱交換器との間に除湿絞り装置を設けたものがある。このような空気調和機では、冷房運転や暖房運転のときは、除湿絞り装置を開放状態として第１熱交換器と第２熱交換器を室内熱交換器として機能させ、除湿運転時は、除湿絞り装置で冷媒の流量を制御することにより、第１熱交換器と第２熱交換器のうち上流側（高圧側）を凝縮器、下流側（低圧側）を蒸発器として機能させ、冷却作用を加熱作用で相殺して、除湿運転を行うものである。
【０００４】
また、例えば特開２００３−４２５８３号公報に開示されているように、室内熱交換器へ導入する冷媒の流れを切り換えるに流路切換手段（図９の９１）を設け、暖房除湿運転モード及び冷房除湿運転モードのいずれの場合も、冷媒を第１熱交換器→第２絞り装置→第２熱交換器のように同一方向に流し、再熱能力や除湿効率を良くしたものがある。また、この特開２００３−４２５８３号公報には、流路切換手段として、図１０において四方弁（流路切換弁）を用い実施例が記載され、図１１〜図１５において二方弁や逆止弁を組み合わせた実施例が記載されている。しかし、二方弁や逆止弁を組み合わせたものは配管等の構成が複雑になったり、弁のＯＮ／ＯＦＦの制御が煩雑になるなどの点を考慮すると、流路切換手段として例えばロータリー式の流路切換弁が適している。
【０００５】
このような、ロータリー式の流路切換弁は、冷凍サイクルにおいて冷媒の流れを切り換える前記流路切換弁として多々知られているが、これは、継手管接続した弁座に対して主弁を回転して着座／離間することにより冷媒の流路を切換制御するものである。しかし、このような流路切換弁においても、主弁の着座／離間の動作を円滑にかつ確実に行えることが要求される。
【０００６】
これに対して、冷媒の圧力を利用して主弁の着座／離間の動作を円滑に行うようにした四方切換弁が、例えば特開２００３−３１４７１５号公報に開示されている。
【特許文献１】特開平８−１０５６７２号公報
【特許文献２】特開２００３−４２５８３号公報
【特許文献３】特開２００３−３１４７１５号公報
【発明の開示】
【発明が解決しようとする課題】
【０００７】
しかし、特開２００３−３１４７１５号公報の四方切換弁は、冷凍サイクルにおいて圧縮機と室内熱交換器及び室外熱交換器との間に接続されることを前提とした切換弁であり、特開２００３−４２５８３号公報における流路切換手段のように、暖房除湿運転モード及び冷房除湿運転モードのいずれの場合も、冷媒を第１熱交換器→第２絞り装置→第２熱交換器のように同一方向に流すための切換弁としては利用できない。
【０００８】
すなわち、特開２００３−３１４７１５号公報の四方切換弁は、圧縮機から流入する高圧冷媒を導入する高圧導入ポートと、熱交換器からの低圧冷媒を圧縮機側に導出する低圧導出ポートとが予め決められており、例えば高圧連通凹部と低圧連通凹部のように、高圧と低圧のそれぞれに専用の構成及び機能を備えるような構造になっている。一方、特開２００３−４２５８３号公報における流路切換手段に対しては、暖房除湿運転モードと冷房除湿運転モードとで、該流路切換手段のポートに対して導入／導出する冷媒の圧力が切り換えられる。このため、該流路切換手段として、特開２００３−３１４７１５号公報の四方切換弁を適用することができない。このことは、特開２００３−３１４７１５号公報の四方切換弁に限らず、冷凍サイクルにおいて圧縮機と室内熱交換器及び室外熱交換器との間に接続される他の流路切換弁（四方弁）でも同様である。
【０００９】
本発明は上記の事情に鑑みなされたもので、室内熱交換器に導入する冷媒の流れを暖房除湿運転モード及び冷房除湿運転モードのいずれの場合も、第１熱交換器→第２絞り装置→第２熱交換器のように同一方向に流すための切換弁として適用でき、かつ、冷媒の圧力を利用して主弁の着座／離間の動作を円滑に行えるような流路切換弁を提供することを課題とする。
【課題を解決するための手段】
【００１０】
請求項１の流路切換弁は、円筒状の弁室を形成する本体ケースと、該本体ケースの開口端に配設されるとともに前記弁室の中心回りの同周上に所定角度離間して４つのポートが形成された弁座と、前記弁室内に該弁室の軸方向および軸回りに摺動自在に配設された円柱状の主弁と、前記本体ケースの円筒の中心軸の位置で前記主弁中心を摺動自在に軸支するとともに軸方向に摺動自在となる回転軸を有する回転駆動手段と、前記回転軸に連結されるとともに前記主弁の端面に摺動可能に接触される副弁と、を備え、前記主弁の前記回転軸の両側で該回転軸を含む基準面に対して対称となるように、前記弁座側に開口した２つの導通路が形成されるとともに、該主弁の前記回転軸回りで前記基準面に対して対称となる位置に、該２つの導通路のそれぞれを前記弁室に導通する２つの均圧孔が形成され、さらに、該主弁の前記弁室側に前記基準面を含んで該基準面に対して対称となるストッパ部が形成され、前記回転駆動手段により前記副弁を回転し、該副弁によって前記均圧孔の一方を閉とするとともに他方を開として、一方の導通路を前記弁室から遮蔽するとともに他方の導通路を該弁室と均圧可能とし、かつ、該副弁の回動により該副弁が前記ストッパ部に当接して該主弁を回転可能としたことを特徴とする。
【００１１】
請求項１の流路切換弁において、弁座の４つのポートのうちの、例えば９０°離間した２つのポートを一方の導通路で導通し、他の例えば９０°離間した２つのポートを他方の導通路で導通することができる。また、主弁を９０°回転することで導通する２つのポートの組み合わせを切り換えることができる。また、主弁をさらに９０°回転（または初めから１８０°回転）しても２組のポートをそれぞれ導通することができる。
【００１２】
弁座の４つのポートのうちの例えば１８０°離間した２つのポートにおいて、一方を高圧冷媒の導入用、他方を低圧冷媒の導出用とする第１のモードと、一方を低圧冷媒の導出用、他方を高圧冷媒の導入用とする第２のモードとを切り換えても、主弁の２つの導通路、均圧孔の位置、ストッパ部は、前記基準面に対して対称となっているので、主弁の初期位置でも、この初期位置から１８０°回転した位置でも、２つの導通路、均圧孔、ストッパ部は、上記１８０°離間した２つのポートに対して同等に作用することができる。また、均圧孔と副弁との作用により、低圧側の導通路と弁室とを均圧してし主弁を弁座から離間させ、高圧側の導通路と弁室とを均圧して主弁を弁座に着座させることができる。したがって、室内熱交換器に導入する冷媒の流れを暖房除湿運転モード及び冷房除湿運転モードのいずれの場合も、第１熱交換器→第２絞り装置→第２熱交換器のように同一方向に流すための切換弁として適用でき、かつ、冷媒の圧力を利用して主弁の着座／離間の動作を円滑に行うことができる。
【発明の効果】
【００１３】
請求項１の流路切換弁によれば、例えば、暖房除湿運転モードと冷房除湿運転モードのいずれの場合も、第１熱交換器→第２絞り装置→第２熱交換器のように同一方向に流すために、冷凍サイクルで室内機に冷媒を導入する流路を切り換えるための切換弁として適用することができ、かつ、冷媒の圧力を利用して主弁の着座／離間の動作を円滑に行うことができる。
【発明を実施するための最良の形態】
【００１４】
次に、本発明の流路切換弁の実施形態を図面を参照して説明する。図１は実施形態の流路切換弁５０の切り換え時（浮上状態）の断面図、図２は同流路切換弁５０の着座状態の断面図である。図２(B) は図２(A) の主弁１のＡ−Ａ矢視図である。図３〜図６は実施形態の流路切換弁５０を用いた空気調和機の冷凍サイクルにおける各運転モード時の冷媒の流れを示す図である。図３は冷房運転モード、図４は冷房除湿運転モード、図５は暖房運転モード、図６は暖房除湿運転モードを示している。
【００１５】
まず、図３〜図６に基づいて実施形態の空気調和機の要部の構成について説明する。図中１０は圧縮機、２０は四方弁を構成する例えばロータリ式の四方切換弁、３０は室外熱交換器、４０は第１絞り装置、５０は実施形態の流路切換弁、６０は室内熱交換器を構成する第１熱交換器、７０は第２絞り装置、８０は室内熱交換器を構成する第２熱交換器である。圧縮機１０の吐出口と吸入口は四方切換弁２０に接続され、四方切換弁２０は導管を介して室外熱交換器３０と流路切換弁５０とに接続されている。第１絞り装置４０は室外熱交換器３０と流路切換弁５０との間に介設されている。第２絞り装置７０は第１熱交換器６０と第２熱交換器８０との間に介設されている。
【００１６】
流路切換弁５０において「Ｓ」、「Ｃ」、「Ｄ」、「Ｅ」で示すように、流路切換弁５０は後述の弁座にＳポート、Ｃポート、Ｄポート、Ｅポートを備えている。Ｓポートは四方切換弁２０に接続され、Ｃポートは第２熱交換器８０に接続され、Ｄポートは第１絞り装置４０に接続され、Ｅポートは第１熱交換器６０に接続されている。そして、流路切換弁５０において、これらのＳポート、Ｃポート、Ｄポート、Ｅポートポートは、主弁１の２つの導通路１１，１２によって導通される。図３では導通路１１によってＳポートとＣポートとが導通されるとともに、導通路１２によってＤポートとＥポートとが導通されている。図４では導通路１１によってＣポートとＤポートとが導通されるとともに、導通路１２によってＳポートとＥポートとが導通されている。図５では導通路１１によってＳポートとＥポートとが導通されるとともに、導通路１２によってＣポートとＤポートとが導通されている。図６では導通路１１によってＤポートとＥポートとが導通されるとともに、導通路１２によってＳポートとＣポートとが導通されている。なお、これらの切り換え状態は図７により後述説明する。
【００１７】
各運転モードにおいて冷媒は図の矢印のように流れる。図３の冷房運転モードでは、圧縮機１０で圧縮された冷媒は四方切換弁２０から室外熱交換器３０に流入され、第１絞り装置４０を介して流路切換弁５０のＤポートに流入する。導通路１２を介してＥポートから流出する冷媒は、第１熱交換器６０に流入し、第２絞り装置７０を介して第２熱交換器８０に流入され、第２熱交換器８０から流路切換弁５０のＣポートに流入する。導通路１１を介してＳポートから流出する冷媒は、四方切換弁２０を介して圧縮機１０に流入される。この冷房運転モードでは、第１絞り装置４０は運転状況に応じて最適な絞り状態に制御されるとともに、第２絞り装置７０は全開にされ、第１熱交換器６０と第２熱交換器８０とは室内熱交換器として機能し、冷房運転が行われる。
【００１８】
図４の冷房除湿運転モードでは、四方切換弁２０は図３と同じ流路を形成するが、第１絞り装置４０から流路切換弁５０のＤポートに流入する冷媒は、導通路１１を介してＣポートから流出し、第２熱交換器８０、第２絞り装置７０、第１熱交換器６０を通って流路切換弁５０のＥポートに流入する。そして導通路１２を介してＳポートから流出する冷媒は四方切換弁２０に流入される。この冷房除湿運転モードでは、第１絞り装置４０は全開にされるとともに、第２絞り装置７０は冷媒の流れを絞り、高圧側の第２熱交換器８０が凝縮器として機能し、低圧側の第１熱交換器６０が蒸発器として機能する。すなわち、凝縮器による加熱と、蒸発器による冷却・除湿により、室内の温度を下げずに湿度を下げることができる。
【００１９】
図５の暖房運転モードでは、圧縮機１０で圧縮された冷媒は四方切換弁２０から流路切換弁５０のＳポートに流入する。導通路１１を介してＥポートから流出する冷媒は、第１熱交換器６０に流入し、第２絞り装置７０を介して第２熱交換器８０に流入され、第２熱交換器８０から流路切換弁５０のＣポートに流入する。導通路１２を介してＤポートから流出する冷媒は、第１絞り装置４０を介して室外熱交換器３０に流入され、さらに四方切換弁２０を介して圧縮機１０に流入される。この暖房運転モードでは、第１絞り装置４０は運転状況に応じて最適な絞り状態に制御されるとともに、第２絞り装置７０は全開にされ、第１熱交換器６０と第２熱交換器８０とは室内熱交換器として機能し、暖房運転が行われる。
【００２０】
図６の暖房除湿運転モードでは、四方切換弁２０は図５と同じ流路を形成するが、四方切換弁２０から流路切換弁５０のＳポートに流入する冷媒は、導通路１２を介してＣポートから流出し、第２熱交換器８０、第２絞り装置７０、第１熱交換器６０を通って流路切換弁５０のＥポートに流入する。そして導通路１１を介してＤポートから流出する冷媒は第１絞り装置４０に流入される。この暖房除湿運転モードでは、第１絞り装置４０は全開にされるとともに、第２絞り装置７０は冷媒の流れを絞り、高圧側の第２熱交換器８０が凝縮器として機能し、低圧側の第１熱交換器６０が蒸発器として機能する。すなわち、凝縮器による加熱と、蒸発器による冷却・除湿により、室内の温度を下げずに湿度を下げることができる。
【００２１】
このように、冷房運転モード（図３）と冷房除湿運転モード（図４）の場合（以下、「冷房モード」という。）は、室外機において圧縮機１０と流路切換弁５０との間の冷媒の流路は同じであり、また、暖房運転モード（図５）と暖房除湿運転モード（図６）の場合（以下、「暖房モード」という。）も、室外機において圧縮機１０と流路切換弁５０との間の冷媒の流路は同じである。
【００２２】
しかし、冷房運転モード（図３）と暖房運転モード（図５）とでは、四方切換弁２０の流路切換によって、流路切換弁５０へ導入される高圧冷媒の導入側と、流路切換弁５０から導出される低圧冷媒の導出側とが切り換えられる。すなわち、冷房運転モードではＤポートが高圧冷媒の導入側でＳポートが低圧冷媒の導出側となり、暖房運転モードではＳポートが高圧冷媒の導入側でＤポートが低圧冷媒の導出側となる。また、冷房除湿運転モード（図４）と暖房除湿運転モード（図６）とでも、導入側と導出側とが切り換えられ、冷房除湿運転モードではＤポートが高圧冷媒の導入側でＳポートが低圧冷媒の導出側となり、暖房除湿運転モードではＳポートが高圧冷媒の導入側でＤポートが低圧冷媒の導出側となる。
【００２３】
このように、高圧冷媒の導入側と低圧冷媒の導出側が切り換わっても、特に、冷房除湿運転モードと暖房除湿運転モードとで室内機において冷媒の流れが同一方向となるように流路切換弁５０で、第１熱交換器６０あるいは第２熱交換器８０に対する冷媒の導出側と導入側のポートを切り換える。
【００２４】
次に、図１及び図２に基づいて実施形態の流路切換弁５０の詳細について説明する。流路切換弁５０は、弁本体Ａと駆動部Ｂを備え、弁本体Ａには、本体ケースＡ１の下端部を弁座２で封止することで円筒中空の弁室Ｒが形成されている。弁座２の１８０°離間する位置には第１継手管１１１と第２継手管１１２が固着され、弁座２の第１継手管１１１との接続部分がＣポートＰ１、第２継手管１１２との接続部分がＥポートＰ２となっている。また、図２(B) に示したように、弁座２には、ＣポートＰ１及びＥポートＰ２からそれぞれ９０°離間した位置にはＤポートＰ３とＳポートＰ４とが形成され、このＤポートＰ３とＳポートＰ４には図示しない継手管が接続されている。なお、図２(B) は主弁１の裏面図であるが、各ポートを実線で図示してある。また、前記図３〜図６における流路切換弁５０の部分は弁座２の上面図に対応しており、図２(B) （裏面図）と図３〜図６とでは各ポートの位置が鏡映反転した位置となっている。
【００２５】
弁室Ｒ内には主弁１が配設されている。主弁１は外観が円柱状に樹脂で形成され、円柱の軸となる中心に回転軸孔１ａが形成されるとともに、その両側に弁座２側に開口した縦長でドーム状の導通路１１，１２が形成されている。この導通路１１，１２の開口部は、一方がＳポートとＣポートとを同時に導通するとともに、他方がＤポートとＥポートとを同時に導通することが可能となっている。また、この状態から主弁１が９０°回転した位置では、一方がＳポートとＥポートとを同時に導通するとともに、他方がＤポートとＣポートとを同時に導通することが可能となっている。また、導通路１１，１２の弁座２側には、開口部の周囲で弁座２側に僅かに突出したシール部１１ａ，１２ａが形成されており、このシール部１１ａ，１２ａは弁座２の摺動面に接触する。
【００２６】
また、主弁１の駆動部Ｂ側上部の回転軸孔１ａの両側には、導通路１１，１２を該主弁１の上部側に導通する均圧孔１４，１５が形成されている。さらに、主弁１の駆動部Ｂ側上面には、均圧孔１４，１５から９０°離間した位置を中心にして９０°開いた形状の扇形のストッパ部１６が形成されている。すなわち、ストッパ部１６の回転周方向の両端面のうち、一方の端面と均圧孔１４の中心とは４５°離間した位置となり、ストッパ部１６の回転周方向の両端面のうち、他方の端面と均圧孔１５の中心とは４５°離間した位置となる。
【００２７】
駆動部Ｂは、弁本体Ａの上端に固定された円筒状のケース５１を備えている。、ケース５１の内部には、マグネット製のロータ５２が配設され、このロータ５２はシャフト５３に取付られ、シャフト５３は、その上端部５３ａをケース５１の内部上端に配設された軸受５４内に摺動自在に嵌合されるとともに、該上端部５３ａの周囲に配設されたバネ５５により下方に付勢されている。また、シャフト５３の略中央は、弁本体Ａの本体ケースＡ１の上端に取り付けられた軸受５６により摺動自在に軸支されている。さらにシャフト５３の下部は径を細くした回転軸５３ｂとなっている。
【００２８】
回転軸５３ｂの付け根には副弁４が固着されている。副弁４は、１８０°離間した端面を有する半円状の部材であり、その主弁１側の面には９０°離間した位置に円盤状にそれぞれ膨出された摺動面４１，４２がそれぞれ形成されている。シャフト５３の回転軸５３ｂは主弁１の回転軸孔１ａ内に摺動自在に嵌合され、主弁１はこの回転軸５３ｂを軸に回動可能となっている。また、ケース５１の外周には駆動コイル５７が配設されており、この駆動コイル５７、ロータ５２及びシャフト５３により回転駆動手段としてのステッピングモータが構成されている。なお、図２(B) に示した線Ｌと回転軸５３ｂの中心線を含む面が「基準面」であり、導通路１１，１２、均圧孔１４，１５、ストッパ部１６はこの基準面に対して対称になっている。
【００２９】
以上の構成により、駆動コイル５７に通電されてステッピングモータが駆動され、ロータ５２及びシャフト５３が回転される。このとき回転軸５３ｂの副弁４が回動し、副弁４の端面が、主弁１のストッパ部１６の端面に当接することにより、この副弁４の回動力が主弁１に伝えられ、主弁１は副弁４とともに回動可能となる。また、この副弁４がストッパ部１６に当接しないで副弁４が主弁１に対して回動可能となっている範囲において、副弁４の摺動面４１あるいは摺動面４２により、均圧孔１４あるいは均圧孔１５が開閉される。これにより、導通路１１あるいは導通路１２と弁室Ｒとを均圧して主弁１を弁座２から離間させ、また導通路１１あるいは導通路１２と弁室Ｒとの差圧を利用して主弁１の弁座２に対する着座を保持する。
【００３０】
図７は副弁４と主弁１（ストッパ部材１６及び均圧孔１４，１５）の位置関係を説明する図であり、図７(A) 〜(D) は図３〜図６に対応している。先ず、図７(A) の冷房運転時にあるとする。図３のように、Ｄポートには高圧冷媒が導入されて導通路１２が高圧になり、Ｓポートから低圧冷媒が導出されて導通路１１が低圧になっている。このとき、図７(A) のように、導通路１２側の均圧孔１５は開放されているが、導通路１１側の均圧孔１４が副弁４の摺動面４１により閉じられている。したがって、主弁１の上部の弁室Ｒは高圧になり、主弁１は弁座２に着座して密着されている。
【００３１】
次に、上記冷房運転から冷房除湿運転に切り換えるとき、圧縮機１０は運転状態のままで、冷凍サイクルは室外機側の流路も冷房モードのままとする。そして、ステッピングモータを駆動して副弁４を図７(A) の状態から反時計回りに９０°回動する。これにより副弁４の摺動面４２が導通路１２側の均圧孔１５を閉じるとともに、摺動面４１が導通路１１側の均圧孔１４から離れ、この均圧孔１４が開放され、主弁１の上部の弁室Ｒは低圧となり、導通路１１と均圧する。したがって、導通路１２側の高圧によって主弁１は弁座２から離間（浮上）した状態となる。また、このとき副弁４の端面４ａがストッパ部１の端面１６ａに当接しているので、副弁４をさらに反時計回りに９０°回動すると、主弁１は副弁４と共に回動し、図７(B) の状態となる。これにより、導通路１１がＤポート側になるので高圧になり、高圧冷媒は均圧孔１４から弁室Ｒ内に流入する。一方、副弁４の摺動面４２で均圧孔１５が閉じられているので、導通路１２が低圧になり、この弁室Ｒの高圧と導通路１２の低圧との差圧により主弁１が弁座２に着座する。これにより冷房除湿運転が行われる。
【００３２】
なお、冷房除湿運転から冷房運転に切り換えるときは、図７(B) の状態から副弁４を時計回りに９０°回動し、均圧孔１４を閉、均圧孔１５を開として主弁１を弁座２から離間させ、さらに副弁４を時計回りに９０°回動して図７(A) の状態に戻せばよい。
【００３３】
また、図７(C) の暖房運転時にあるとすると、図５のように、Ｓポートには高圧冷媒が導入されて導通路１１が高圧になり、Ｄポートから低圧冷媒が導出されて導通路１２が低圧になっている。このとき、図７(C) のように、導通路１１側の均圧孔１４は開放されているが、導通路１２側の均圧孔１５が副弁４の摺動面４２により閉じられている。したがって、主弁１の上部の弁室Ｒは高圧になり、主弁１は弁座２に着座して密着されている。
【００３４】
次に、上記暖房運転から暖房除湿運転に切り換えるとき、圧縮機１０は運転状態のままで、冷凍サイクルは室外機側の流路も暖房モードのままとする。そして、ステッピングモータを駆動して副弁４を図７(C) の状態から時計回りに９０°回動する。これにより副弁４の摺動面４１が導通路１１側の均圧孔１４を閉じるとともに、摺動面４２が導通路１２側の均圧孔１５から離れ、この均圧孔１５が開放され、弁室Ｒは低圧となり、導通路１２と均圧する。したがって、導通路１１側の高圧によって主弁１は弁座２から離間（浮上）した状態となる。また、このとき副弁４の端面がストッパ部１の端面に当接しているので、副弁４をさらに時計回りに９０°回動すると、主弁１は副弁４と共に回動し、図７(D) の状態となる。これにより、導通路１２がＳポート側になるので高圧になり、高圧冷媒は均圧孔１５から弁室Ｒ内に流入する。一方、副弁４の摺動面４１で均圧孔１４が閉じられているので、導通路１１が低圧になり、この弁室Ｒの高圧と導通路１１の低圧との差圧により主弁１が弁座２に着座する。これにより暖房除湿運転が行われる。
【００３５】
なお、暖房除湿運転から暖房運転に切り換えるときは、図７(D) の状態から副弁４を反時計回りに９０°回動し、均圧孔１５を閉、均圧孔１４を開として主弁１を弁座２から離間させ、さらに副弁４を反時計回りに９０°回動して図７(C) の状態に戻せばよい。
【００３６】
さらに、冷房運転から暖房除湿運転に切り換える場合は次のようにする。図３の状態から圧縮機１０を一旦停止して、四方切換弁２０で流路を切り換え、圧縮機１０を運転する。これにより、図７(A) の状態でＳポート（導通路１１）が高圧、Ｄポート（導通路１２）が低圧となる。したがって、均圧孔１５を介して弁室Ｒが低圧となり、導通路１１の高圧により主弁１は弁座２から離間する。そこで、副弁４及び主弁１を時計回りに１８０°回動すると図７(D) の状態になる。これにより、前記同様に導通路１２（Ｓポート側）が高圧となり、均圧孔１５を介して弁室Ｒが高圧となり、さらに導通路１１（Ｄポート側）が低圧となり、主弁１は弁座２に着座する。また、同様に、暖房運転から冷房除湿運転に切り換える場合は、図５の状態から四方切換弁２０で流路を切り換え、図７(C) の状態から副弁４及び主弁１を反時計回りに１８０°回動して図７(B) の状態にすればよい。
【図面の簡単な説明】
【００３７】
【図１】本発明の実施形態の流路切換弁の切り換え時（浮上状態）の断面図である。
【図２】同流路切換弁の着座状態の断面図である。
【図３】実施形態の冷凍サイクルにおける冷房運転モードの状態を示す図である。
【図４】実施形態の冷凍サイクルにおける冷房除湿運転モードの状態を示す図である。
【図５】実施形態の冷凍サイクルにおける暖房運転モードの状態を示す図である。
【図６】実施形態の冷凍サイクルにおける暖房除湿運転モードの状態を示す図である。
【図７】実施形態における副弁と主弁の位置関係を説明する図である。
【符号の説明】
【００３８】
１          主弁
２          弁座
４          副弁
１１，１２  導通路
１４，１５  均圧孔
５０        流路切換弁
Ｒ          弁室
【図１】
2005256853.tif 000003
【図２】
2005256853.tif 000004
【図３】
2005256853.tif 000005
【図４】
2005256853.tif 000006
【図５】
2005256853.tif 000007
【図６】
2005256853.tif 000008
【図７】
2005256853.tif 000009